(57)【要約】      （修正有）【課題】自動精査処理を中断した後、再度自動精査処理を行う場合の自動精査処理時間を短縮する手段を提供する。【解決手段】複数の金庫１０ａ〜１０ｄに収納された現金を計数して精査処理を行う施封小束支払機１において、金庫毎の確定情報を記憶する記憶部と、移動元の金庫に収納されている現金を移動先の金庫に移動して現金を計数し、該計数結果を移動先の金庫の確定情報として記憶部に記憶し、金庫毎の有り高を確定する確定処理をすべての金庫に対して行い、精査処理を行う制御部とを備え、制御部は、精査処理を中断し、再開する場合、記憶部に確定情報が記憶されていない金庫のみに対して確定処理を行う。【選択図】図１
2015114735.tif 000002
【特許請求の範囲】
【請求項１】
複数の金庫に収納された現金を計数して精査処理を行う紙幣入出金処理装置において、
前記金庫毎の確定情報を記憶する記憶部と、
移動元の前記金庫に収納されている現金を移動先の前記金庫に移動して前記現金を計数し、該計数結果を前記移動先の金庫の前記確定情報として前記記憶部に記憶し、前記金庫毎の有り高を確定する確定処理を前記金庫に対して行い、前記精査処理を行う制御部とを備え、
前記制御部は、前記精査処理を中断し、再開する場合、前記記憶部に前記確定情報が記憶されていない金庫のみに対して前記確定処理を行うことを特徴とする紙幣入出金処理装置。
【請求項２】
請求項１に記載の紙幣入出金処理装置において、
前記金庫に収納されているすべての現金を一時退避する精査庫を備え、
前記制御部は、一の前記金庫のすべての現金を前記精査庫に一時退避し、前記一の金庫を前記移動先の金庫とすることを特徴とする紙幣入出金処理装置。
【請求項３】
請求項２に記載の紙幣入出金処理装置において、
前記精査処理を中断し、再開するとき、空状態の前記金庫が存在する場合、前記制御部は、前記精査庫に一時退避した現金を前記空状態の金庫に移動させるとともに、該金庫の前記確定情報を前記記憶部に記憶することを特徴とする紙幣入出金処理装置。
【請求項４】
請求項１から請求項３のいずれかに記載の紙幣入出金処理装置において、
現金の金種を鑑別する鑑別部と、
現金を収納する予備庫とを有し、
前記精査処理中に、前記鑑別部で金種を鑑別できなかった現金を予備庫に収納することを特徴とする紙幣入出金処理装置。
【請求項５】
請求項４に記載の紙幣入出金処理装置において、
前記それぞれの金庫は、開口部を開閉するシャッタを有し、
前記制御部は、前記予備庫が満杯になったことを検知すると、前記シャッタで前記開口部を遮蔽し、前記予備庫の現金の回収の誘導を報知することを特徴とする紙幣入出金処理装置。
【請求項６】
請求項１から請求項５のいずれかに記載の紙幣入出金処理装置において、
前記現金は、紙幣であることを特徴とする紙幣入出金処理装置。
【請求項７】
請求項６に記載の紙幣入出金処理装置において、
前記紙幣は、所定枚数毎に施封された小束紙幣であることを特徴とする紙幣入出金処理装置。
【請求項８】
請求項７に記載の紙幣入出金処理装置において、
前記小束紙幣を生成する施封部を有し、
前記精査庫は、前記施封部と前記金庫との間の移動機構内の空間に形成されていることを特徴とする紙幣入出金処理装置。
【発明の詳細な説明】
【技術分野】
【０００１】
本発明は、金庫に収納された紙幣の有り高を確定する自動精査処理を行う紙幣入出金処理装置に関する。
【背景技術】
【０００２】
従来の紙幣入出金処理装置は、収納されている紙幣の容量が補充回収ボックスに回収できる容量を超える入出金庫が存在する場合であっても、係員等による介入を得ることなく、入出金庫の有り高を確定できるようにするため、自動精査処理を行う前に、補充回収ボックスに回収可能な紙幣枚数を示す回収許容量を超えた紙幣を回収し、その紙幣を、収納している紙幣枚数が回収許容量に満たない他の入出金庫へ回収許容量を超えないように補充するようにしている（例えば、特許文献１参照）。
【先行技術文献】
【特許文献】
【０００３】
【特許文献１】特開２００７−１７２４４２号公報
【発明の概要】
【発明が解決しようとする課題】
【０００４】
しかしながら、上述した従来の技術においては、自動精査処理中に紙幣の詰まり等の危機異常の発生やリジェクト紙幣収納庫または金庫の満杯により自動精査処理を中断し、その後再度自動精査処理を行う場合、自動精査処理を中断する前に既に有り高が確定された金庫についても再度自動精査処理を行うようにしているため自動精査処理時間が長くなってしまうという問題がある。
本発明は、このような問題を解決することを課題とし、精査処理を中断した後、再度精査処理を行う場合の精査処理時間を短縮することを目的とする。
【課題を解決するための手段】
【０００５】
そのため、本発明は、複数の金庫に収納された現金を計数して精査処理を行う紙幣入出金処理装置において、前記金庫毎の確定情報を記憶する記憶部と、移動元の前記金庫に収納されている現金を移動先の前記金庫に移動して前記現金を計数し、該計数結果を前記移動先の金庫の前記確定情報として前記記憶部に記憶し、前記金庫毎の有り高を確定する確定処理を前記金庫に対して行い、前記精査処理を行う制御部とを備え、前記制御部は、前記精査処理を中断し、再開する場合、前記記憶部に前記確定情報が記憶されていない金庫のみに対して前記確定処理を行うことを特徴とする。
【発明の効果】
【０００６】
このようにした本発明は、精査処理を中断した後、再度精査処理を行う場合の精査処理時間を短縮することができるという効果が得られる。
【図面の簡単な説明】
【０００７】
【図１】第１の実施例における施封小束支払機の構成を示す概略側断面図
【図２】第１の実施例における施封小束支払機の制御構成を示すブロック図
【図３】第１の実施例における自動精査処理の説明図
【図４】第１の実施例における自動精査処理（初期状態）の説明図
【図５】第１の実施例における自動精査処理（ステップ１）の説明図
【図６】第１の実施例における自動精査処理（ステップ２）の説明図
【図７】第１の実施例における自動精査処理（ステップ３）の説明図
【図８】第１の実施例における自動精査処理（ステップ４）の説明図
【図９】第１の実施例における自動精査処理（ステップ５）の説明図
【図１０】第１の実施例における自動精査処理（初期状態）の説明図
【図１１】第１の実施例における自動精査処理（ステップ１１）の説明図
【図１２】第１の実施例における自動精査処理（ステップ１２）の説明図
【図１３】第１の実施例における自動精査処理（ステップ１３）の説明図
【図１４】第１の実施例における自動精査処理（ステップ１４）の説明図
【図１５】第１の実施例における自動精査処理（ステップ１５）の説明図
【図１６】第１の実施例における自動精査処理（ステップ１６）の説明図
【図１７】第１の実施例における自動精査処理（ステップ１７）の説明図
【図１８】第２の実施例における自動精査処理（初期状態）の説明図
【図１９】第２の実施例における自動精査処理（ステップ２１）の説明図
【図２０】第２の実施例における自動精査処理（ステップ２２）の説明図
【図２１】第２の実施例における自動精査処理（ステップ２３）の説明図
【図２２】第２の実施例における自動精査処理（ステップ２４）の説明図
【図２３】第２の実施例における自動精査処理（ステップ２５）の説明図
【図２４】第２の実施例における自動精査処理（ステップ２６）の説明図
【発明を実施するための形態】
【０００８】
以下、図面を参照して本発明による紙幣入出金処理装置の実施例を説明する。
【実施例１】
【０００９】
図１は第１の実施例における施封小束支払機の構成を示す概略側断面図である。
図１において、紙幣入出金処理装置としての施封小束支払機１は、入金された紙幣を金種（万円券、五千円券、千円券等）毎に分類計数するとともに、分類計数した紙幣を所定の枚数（例えば、１００枚）毎に施封して小束紙幣として金庫に収納する入金処理を行い、また金庫に収納された小束紙幣を出金する出金処理を行うものであり、さらに複数の金庫に収納された現金を計数し、それぞれの金庫に収納された小束紙幣の有り高を確定する精査処理（以下、「自動精査処理」という。）を行うものである。
【００１０】
施封小束支払機１は、入金された紙幣を金種毎に分類計数して搬送する搬送路２と、分類計数された紙幣を所定枚数（例えば、１００枚）集積する集積部２ａ、２ｂと、所定枚数の紙幣を紙の帯で施封して小束紙幣を生成し、送り出す施封部４と、各集積部２ａ、２ｂに集積された所定枚数の紙幣を一括して取り出して施封部４に搬送する紙幣クランプ搬送部３と、施封部４で施封された小束紙幣を出金する出金口５と、上方の開口部を開閉するシャッタ１０ａｂｓ、１０ｃｄｓを有し、小束紙幣１２（１２ａ、１２ｂ、１２ｃ、１２ｄ）を収納する金種毎に設けられた複数の金庫１０（１０ａ、１０ｂ、１０ｃ、１０ｄ）と、施封部４から送り出される小束紙幣１４を受け取って出金口５や金庫１０（１０ａ、１０ｂ、１０ｃ、１０ｄ）が配置されている上下方向へ移動させる昇降機構６と、各金庫１０の配列方向に沿って移動可能に構成され、昇降機構６から小束紙幣を各金庫１０（１０ａ、１０ｂ、１０ｃ、１０ｄ）へ移動させる小束クランプ移動機構７と、小束紙幣の金種を鑑別および計数する鑑別部８と、小束クランプ移動機構７から金庫１０（１０ａ、１０ｂ、１０ｃ、１０ｄ）へ小束紙幣を押込む小束押込み機構９と、金庫１０（１０ａ、１０ｂ、１０ｃ、１０ｄ）に収納された小束紙幣の出金処理や自動精査処理時に金種が鑑別できなかった小束紙幣１２や、入金処理時に金庫１０（１０ａ、１０ｂ、１０ｃ、１０ｄ）が満杯になっているため金庫１０（１０ａ、１０ｂ、１０ｃ、１０ｄ）に収納することができない小束紙幣１２を収納する予備庫としてのオーバフロー庫１１とにより構成されている。
【００１１】
移動機構部としての昇降機構６は、施封部４と金庫１０（１０ａ、１０ｂ、１０ｃ、１０ｄ）との間に配設され、１つの金庫１０に収納されたすべての小束紙幣を一時保管できる容量を有しているものとし、図３に示すように昇降機構６内のステージ６１が昇降する空間により、金庫１０（１０ａ、１０ｂ、１０ｃ、１０ｄ）に収納された小束紙幣の一次退避空間としての精査庫６２を形成する。
また、オーバフロー庫１１は小束紙幣を斜めに収納するように構成され、昇降機構６と金庫１０（１０ａ、１０ｂ、１０ｃ、１０ｄ）との間に設けられている。
【００１２】
図２は第１の実施例における施封小束支払機の制御構成を示すブロック図である。
図２において、施封小束支払機１は、移動制御部２１と、鑑別部８と、記憶部２２と、制御部２３とにより構成され、通信回線を介して上位装置等の他の装置と通信可能に接続されている。
移動制御部２１は、図１に示す搬送路２、集積部２ａ、２ｂ、紙幣クランプ搬送部３、施封部４、昇降機構６、小束クランプ移動機構７、小束押込み機構９、および金庫１０等を制御して紙幣および小束紙幣を搬送および移動させるものである。
【００１３】
鑑別部８は、小束紙幣の金種を鑑別し、鑑別した小束紙幣を計数するものである。この小束紙幣の計数結果は確定情報となる。
記憶部２２は、移動制御部２１や鑑別部８を含め、施封小束支払機１全体の動作を制御するための制御プログラム（ソフトウェア）および制御情報を記憶するものである。また、記憶部２２は、図１に示す金庫１０（１０ａ、１０ｂ、１０ｃ、１０ｄ）に収納されている小束紙幣の有り高を金庫１０（１０ａ、１０ｂ、１０ｃ、１０ｄ）毎の確定情報として記憶する。
【００１４】
制御部２３は、ＣＰＵ（Ｃｅｎｔｒａｌ  Ｐｒｏｃｅｓｓｉｎｇ  Ｕｎｉｔ）等の制御手段で構成され、記憶部２２に記憶された制御プログラムおよび制御情報に基づいて施封小束支払機１全体の動作を制御する。
この制御部２３は、図１に示す移動元の金庫１０（１０ａ、１０ｂ、１０ｃ、１０ｄ）に収納されている小束紙幣を移動先の金庫１０（１０ａ、１０ｂ、１０ｃ、１０ｄ）に移動して小束紙幣を計数し、該計数結果を移動先の金庫１０（１０ａ、１０ｂ、１０ｃ、１０ｄ）の確定情報として記憶部２２に記憶し、金庫１０（１０ａ、１０ｂ、１０ｃ、１０ｄ）毎の有り高を確定する確定処理をすべての金庫１０（１０ａ、１０ｂ、１０ｃ、１０ｄ）に対して行い、自動精査処理を行う。
【００１５】
また、制御部２３は、図１に示す金庫１０（１０ａ、１０ｂ、１０ｃ、１０ｄ）およびオーバフロー庫１１に設けられたセンサ等により、金庫１０（１０ａ、１０ｂ、１０ｃ、１０ｄ）およびオーバフロー庫１１が収納した小束紙幣が満杯の状態または空の状態であることを検知することができるようになっている。
このように構成された施封小束支払機１において、紙幣を入金処理する場合、搬送路２により搬送されて複数の集積部２ａ、２ｂに金種別に振り分けて集積される。
集積部２ａ、２ｂに所定枚数（例えば、１００枚）の紙幣が集積されると、その紙幣は紙幣クランプ搬送部３により一括して取り出され、受け渡し位置３ａに移動した紙幣クランプ搬送部３により施封部４に搬送される。
【００１６】
この施封部４で所定枚数の紙幣は紙の帯で施封され、小束紙幣として受け渡し位置６ａに移動した昇降機構６に移される。
その後、昇降機構６は小束クランプ移動機構７の位置まで下降して、紙幣の小束が小束クランプ移動機構７へ渡され、そして小束クランプ移動機構７が該当金種の金庫１０（１０ａ、１０ｂ、１０ｃ、１０ｄ）まで移動して、その金庫１０（１０ａ、１０ｂ、１０ｃ、１０ｄ）に小束紙幣を収納する。
該当金種の金庫１０（１０ａ、１０ｂ、１０ｃ、１０ｄ）が満杯の場合、昇降機構６は小束クランプ移動機構７に紙幣の小束を渡し、小束クランプ移動機構７は、オーバフロー収納庫１１に移動して紙幣の小束をオーバフロー収納庫１１に放出する。
【００１７】
また、施封小束支払機１は、金庫１０（１０ａ、１０ｂ、１０ｃ、１０ｄ）に収納された小束紙幣を昇降可能なステージにより上昇させ、小束クランプ移動機構７に渡し、小束クランプ移動機構７により昇降機構６へ搬送して出金口５から放出することができるようになっている。
さらに、施封小束支払機１は、金庫１０（１０ａ、１０ｂ、１０ｃ、１０ｄ）に収納された小束紙幣を昇降可能なステージにより上昇させ、小束クランプ移動機構７に渡し、他の金庫１０（１０ａ、１０ｂ、１０ｃ、１０ｄ）に移動して収納することができるようになっている。
【００１８】
本実施例では、図３に示すように、施封小束支払機１の昇降機構６のステージ６１が昇降する空間を金庫１０（１０ａ、１０ｂ、１０ｃ、１０ｄ）に収納されたすべての小束紙幣を一時退避する精査庫６２として使用し、金庫１０（１０ａ、１０ｂ、１０ｃ、１０ｄ）と精査庫６２との間および、金庫１０（１０ａ、１０ｂ、１０ｃ、１０ｄ）間で小束紙幣を移動して金庫１０（１０ａ、１０ｂ、１０ｃ、１０ｄ）毎に収納された小束紙幣の有り高を確定する確定処理をすべての金庫１０（１０ａ、１０ｂ、１０ｃ、１０ｄ）に対して行うことにより、施封小束支払機１内の現金有り高を確定する自動精査処理を行うものとする。
なお、自動精査処理は係員等の操作により上位装置から自動精査処理の開始を指示する命令を受信して行うものとする。
【００１９】
上述した構成の作用について説明する。
施封小束支払機が行う自動精査処理を図４から図１７の第１の実施例における自動精査処理の説明図に基づいて図１および図２を参照しながら説明する。
施封小束支払機１は、図４に示すように、オーバフロー庫１１は空、金庫１０ａ、１０ｂ、１０ｃ、１０ｄにはそれぞれ小束紙幣が収納されているものとし、金庫１０ａ、１０ｂ、１０ｃ、１０ｄに収納された小束紙幣の有り高は不明（以下、「不確定」という。）の初期状態であるものとする。なお、金庫１０ａ、１０ｂ、１０ｃ、１０ｄに収納された小束紙幣の有り高が記憶部２２に記憶されていることを「確定」という。
【００２０】
まず、施封小束支払機１の制御部２３は、シャッタ１０ａｂｓおよびシャッタ１０ｃｄｓを解放する。
ステップ１：次に、制御部２３は、鑑別部８が設けられた小束押込み機構９および小束クランプ移動機構７を自動精査処理の対象となる金庫１０へ移動し、精査対象の金庫１０に収納されている小束紙幣の受取りを待機する。
例えば、金庫１０ａが自動精査処理の対象となる金庫である場合、制御部２３は、小束押込み機構９および小束クランプ移動機構７を自動精査処理の対象となる金庫１０ａへ移動し、精査対象の金庫１０ａに収納されている小束紙幣の受取りを待機する。
【００２１】
制御部２３は、金庫１０ａの小束紙幣を押さえているストッパを解除し、金庫１０ａのステージを上昇させて収納されている小束紙幣１２ａを小束押込み機構９まで押し上げ、図５に示すように、小束押込み機構９まで押し上げられた小束紙幣１２ａの最上位の小束紙幣を小束クランプ移動機構７で取り出し、鑑別部８を通過させて昇降機構６へ移動し、昇降機構６内の精査庫６２で小束紙幣を一時保管する。
このとき、制御部２３は、鑑別部８で小束紙幣の金種を鑑別および計数し、金庫１０ａ内に収納されているべき金種の小束紙幣か否かを判別し、金庫１０ａ内に収納されているべき金種の小束紙幣であると判別すると当該小束紙幣を精査庫６２に保管し、金庫１０ａ内に収納されているべき金種と異なる金種の小束紙幣や金種が鑑別できなかった小束紙幣であると判別すると当該小束紙幣をオーバフロー庫１１へ移動、収納する。
【００２２】
このように、制御部２３は、金庫１０ａ内に収納された小束紙幣１２ａの最上位の小束紙幣を精査庫６２またはオーバフロー庫１１へ移動、収納する動作を繰り返して行い、金庫１０ａ内に収納されたすべての小束紙幣を精査庫６２またはオーバフロー庫１１へ移動、収納して金庫１０ａを空にするとともに、計数結果を記憶部２２に記憶する。
ステップ２：続いて、金庫１０ａ内に収納されていた小束紙幣を移動した制御部２３は、小束押込み機構９および小束クランプ移動機構７を自動精査処理の対象となる金庫１０ｂへ移動し、精査対象の金庫１０ｂに収納されている小束紙幣の受取りを待機する。
【００２３】
制御部２３は、金庫１０ｂの小束紙幣を押さえているストッパを解除し、金庫１０ｂのステージを上昇させて収納されている小束紙幣１２ｂを小束押込み機構９まで押し上げ、図６に示すように、小束押込み機構９まで押し上げられた小束紙幣１２ｂの最上位の小束紙幣を小束クランプ移動機構７で取り出し、鑑別部８を通過させて空になっている金庫１０ａへ移動し、移動先の金庫としての金庫１０ａに小束紙幣を収納する。
このとき、制御部２３は、鑑別部８で小束紙幣の金種を鑑別および計数し、金庫１０ｂ内に収納されているべき金種の小束紙幣か否かを判別し、金庫１０ｂ内に収納されているべき金種の小束紙幣であると判別すると当該小束紙幣を金庫１０ａに収納し、金庫１０ｂ内に収納されているべき金種と異なる金種の小束紙幣や金種が鑑別できなかった小束紙幣であると判別すると当該小束紙幣をオーバフロー庫１１へ移動、収納する。
【００２４】
このように、制御部２３は、金庫１０ｂ内に収納された小束紙幣１２ｂの最上位の小束紙幣を金庫１０ａまたはオーバフロー庫１１へ移動、収納する動作を繰り返して行い、金庫１０ｂ内に収納されたすべての小束紙幣を金庫１０ａまたはオーバフロー庫１１へ移動、収納するとともに、小束紙幣の計数結果を記憶部２２に記憶して金庫１０ａに収納した小束紙幣の有り高を確定する。
ステップ３：続いて、金庫１０ａに収納した小束紙幣の有り高を確定した制御部２３は、小束押込み機構９および小束クランプ移動機構７を自動精査処理の対象となる金庫１０ｃへ移動し、精査対象の金庫１０ｃに収納されている小束紙幣の受取りを待機する。
【００２５】
制御部２３は、金庫１０ｃの小束紙幣を押さえているストッパを解除し、金庫１０ｃのステージを上昇させて収納されている小束紙幣１２ｃを小束押込み機構９まで押し上げ、図７に示すように、小束押込み機構９まで押し上げられた小束紙幣１２ｃの最上位の小束紙幣を小束クランプ移動機構７で取り出し、鑑別部８を通過させて空になっている金庫１０ｂへ移動し、移動先の金庫としての金庫１０ｂに小束紙幣を収納する。
このとき、制御部２３は、鑑別部８で小束紙幣の金種を鑑別および計数し、金庫１０ｃ内に収納されているべき金種の小束紙幣か否かを判別し、金庫１０ｃ内に収納されているべき金種の小束紙幣であると判別すると当該小束紙幣を金庫１０ｂに収納し、金庫１０ｃ内に収納されているべき金種と異なる金種の小束紙幣や金種が鑑別できなかった小束紙幣であると判別すると当該小束紙幣をオーバフロー庫１１へ移動、収納する。
【００２６】
このように、制御部２３は、金庫１０ｃ内に収納された小束紙幣１２ｃの最上位の小束紙幣を金庫１０ｂまたはオーバフロー庫１１へ移動、収納する動作を繰り返して行い、金庫１０ｃ内に収納されたすべての小束紙幣を金庫１０ｂまたはオーバフロー庫１１へ移動、収納するとともに、小束紙幣の計数結果を記憶部２２に記憶して金庫１０ｂに収納した小束紙幣の有り高を確定する。
ステップ４：続いて、金庫１０ｂに収納した小束紙幣の有り高を確定した制御部２３は、小束押込み機構９および小束クランプ移動機構７を自動精査処理の対象となる金庫１０ｄへ移動し、精査対象の金庫１０ｄに収納されている小束紙幣の受取りを待機する。
【００２７】
制御部２３は、金庫１０ｄの小束紙幣を押さえているストッパを解除し、金庫１０ｄのステージを上昇させて収納されている小束紙幣１２ｄを小束押込み機構９まで押し上げ、図８に示すように、小束押込み機構９まで押し上げられた小束紙幣１２ｄの最上位の小束紙幣を小束クランプ移動機構７で取り出し、鑑別部８を通過させて空になっている金庫１０ｃへ移動し、移動先の金庫としての金庫１０ｃに小束紙幣を収納する。
このとき、制御部２３は、鑑別部８で小束紙幣の金種を鑑別および計数し、金庫１０ｄ内に収納されているべき金種の小束紙幣か否かを判別し、金庫１０ｄ内に収納されているべき金種の小束紙幣であると判別すると当該小束紙幣を金庫１０ｃに収納し、金庫１０ｄ内に収納されているべき金種と異なる金種の小束紙幣や金種が鑑別できなかった小束紙幣であると判別すると当該小束紙幣をオーバフロー庫１１へ移動、収納する。
【００２８】
このように、制御部２３は、金庫１０ｄ内に収納された小束紙幣１２ｄの最上位の小束紙幣を金庫１０ｃまたはオーバフロー庫１１へ移動、収納する動作を繰り返して行い、金庫１０ｄ内に収納されたすべての小束紙幣を金庫１０ｃまたはオーバフロー庫１１へ移動、収納するとともに、小束紙幣の計数結果を記憶部２２に記憶して金庫１０ｃに収納した小束紙幣の有り高を確定する。
【００２９】
ステップ５：続いて、金庫１０ｃに収納した小束紙幣の有り高を確定した制御部２３は、図９に示すように、精査庫６２に一時保管されている小束紙幣を空になっている金庫１０ｄへ移動し、ステップ１において記憶部２２に記憶した計数結果に基づいて金庫１０ｄに収納した小束紙幣の有り高を確定する。
このようにして、制御部２３は、金庫１０ａ、１０ｂ、１０ｃ、１０ｄの有り高を記憶部２２に装置の有り高として記憶し、施封小束支払機１全体の有り高として確定する。
【００３０】
次に、自動精査処理中にオーバフロー庫１１が満杯になった場合の処理を図１１から図１７に示すステップ１１からステップ１７に基づいて説明する。
なお、施封小束支払機１は、図１０に示すように、オーバフロー庫１１は空、金庫１０ａ、１０ｂ、１０ｃ、１０ｄにはそれぞれ小束紙幣が収納されているものとし、金庫１０ａ、１０ｂ、１０ｃ、１０ｄに収納された小束紙幣の有り高は不確定の初期状態であるものとする。
【００３１】
まず、施封小束支払機１の制御部２３は、シャッタ１０ａｂｓおよびシャッタ１０ｃｄｓを解放する。
ステップ１１：次に、制御部２３は、鑑別部８が設けられた小束押込み機構９および小束クランプ移動機構７を自動精査処理の対象となる金庫１０へ移動し、精査対象の金庫１０に収納されている小束紙幣の受取りを待機する。
【００３２】
例えば、金庫１０ａが自動精査処理の対象となる金庫である場合、制御部２３は、小束押込み機構９および小束クランプ移動機構７を自動精査処理の対象となる金庫１０ａへ移動し、精査対象の金庫１０ａに収納されている小束紙幣の受取りを待機する。
制御部２３は、金庫１０ａの小束紙幣を押さえているストッパを解除し、金庫１０ａのステージを上昇させて収納されている小束紙幣１２ａを小束押込み機構９まで押し上げ、図１１に示すように、小束押込み機構９まで押し上げられた小束紙幣１２ａの最上位の小束紙幣を小束クランプ移動機構７で取り出し、鑑別部８を通過させて昇降機構６へ移動し、昇降機構６内の精査庫６２で小束紙幣を一時保管する。
【００３３】
このとき、制御部２３は、鑑別部８で小束紙幣の金種を鑑別および計数し、金庫１０ａ内に収納されているべき金種の小束紙幣か否かを判別し、金庫１０ａ内に収納されているべき金種の小束紙幣であると判別すると当該小束紙幣を精査庫６２に保管し、金庫１０ａ内に収納されているべき金種と異なる金種の小束紙幣や金種が鑑別できなかった小束紙幣であると判別すると当該小束紙幣をオーバフロー庫１１へ移動、収納する。
このように、制御部２３は、金庫１０ａ内に収納された小束紙幣１２ａの最上位の小束紙幣を精査庫６２またはオーバフロー庫１１へ移動、収納する動作を繰り返して行い、金庫１０ａ内に収納されたすべての小束紙幣を精査庫６２またはオーバフロー庫１１へ移動、収納する。
【００３４】
ステップ１２：続いて、金庫１０ａ内に収納されていた小束紙幣を移動した制御部２３は、小束押込み機構９および小束クランプ移動機構７を自動精査処理の対象となる金庫１０ｂへ移動し、精査対象の金庫１０ｂに収納されている小束紙幣の受取りを待機する。
制御部２３は、金庫１０ｂの小束紙幣を押さえているストッパを解除し、金庫１０ｂのステージを上昇させて収納されている小束紙幣１２ｂを小束押込み機構９まで押し上げ、図１２に示すように、小束押込み機構９まで押し上げられた小束紙幣１２ｂの最上位の小束紙幣を小束クランプ移動機構７で取り出し、鑑別部８を通過させて空になっている金庫１０ａへ移動し、移動先の金庫としての金庫１０ａに小束紙幣を収納する。
【００３５】
このとき、制御部２３は、鑑別部８で小束紙幣の金種を鑑別および計数し、金庫１０ｂ内に収納されているべき金種の小束紙幣か否かを判別し、金庫１０ｂ内に収納されているべき金種の小束紙幣であると判別すると当該小束紙幣を金庫１０ａに収納し、金庫１０ｂ内に収納されているべき金種と異なる金種の小束紙幣や金種が鑑別できなかった小束紙幣であると判別すると当該小束紙幣をオーバフロー庫１１へ移動、収納する。
このように、制御部２３は、金庫１０ｂ内に収納された小束紙幣１２ｂの最上位の小束紙幣を金庫１０ａまたはオーバフロー庫１１へ移動、収納する動作を繰り返して行い、金庫１０ｂ内に収納されたすべての小束紙幣を金庫１０ａまたはオーバフロー庫１１へ移動、収納するとともに、小束紙幣の計数結果を記憶部２２に記憶して金庫１０ａに収納した小束紙幣の有り高を確定する。
【００３６】
ステップ１３：続いて、金庫１０ａに収納した小束紙幣の有り高を確定した制御部２３は、小束押込み機構９および小束クランプ移動機構７を自動精査処理の対象となる金庫１０ｃへ移動し、精査対象の金庫１０ｃに収納されている小束紙幣の受取りを待機する。
制御部２３は、金庫１０ｃの小束紙幣を押さえているストッパを解除し、金庫１０ｃのステージを上昇させて収納されている小束紙幣１２ｃを小束押込み機構９まで押し上げ、図１３に示すように、小束押込み機構９まで押し上げられた小束紙幣１２ｃの最上位の小束紙幣を小束クランプ移動機構７で取り出し、鑑別部８を通過させて空になっている金庫１０ｂへ移動し、移動先の金庫としての金庫１０ｂに小束紙幣を収納する。
【００３７】
このとき、制御部２３は、鑑別部８で小束紙幣の金種を鑑別および計数し、金庫１０ｃ内に収納されているべき金種の小束紙幣か否かを判別し、金庫１０ｃ内に収納されているべき金種の小束紙幣であると判別すると当該小束紙幣を金庫１０ｂに収納し、金庫１０ｃ内に収納されているべき金種と異なる金種の小束紙幣や金種が鑑別できなかった小束紙幣であると判別すると当該小束紙幣をオーバフロー庫１１へ移動、収納する。
このように、制御部２３は、金庫１０ｃ内に収納された小束紙幣１２ｃの最上位の小束紙幣を金庫１０ｂまたはオーバフロー庫１１へ移動、収納する動作を繰り返して行い、金庫１０ｃ内に収納されたすべての小束紙幣を金庫１０ｂまたはオーバフロー庫１１へ移動、収納するとともに、小束紙幣の計数結果を記憶部２２に記憶して金庫１０ｂに収納した小束紙幣の有り高を確定する。
【００３８】
ステップ１４：続いて、金庫１０ｂに収納した小束紙幣の有り高を確定した制御部２３は、小束押込み機構９および小束クランプ移動機構７を自動精査処理の対象となる金庫１０ｄへ移動し、精査対象の金庫１０ｄに収納されている小束紙幣の受取りを待機する。
制御部２３は、金庫１０ｄの小束紙幣を押さえているストッパを解除し、金庫１０ｄのステージを上昇させて収納されている小束紙幣１２ｄを小束押込み機構９まで押し上げ、図１４に示すように、小束押込み機構９まで押し上げられた小束紙幣１２ｄの最上位の小束紙幣を小束クランプ移動機構７で取り出し、鑑別部８を通過させて空になっている金庫１０ｃへ移動し、移動先の金庫としての金庫１０ｃに小束紙幣を収納する。
【００３９】
このとき、制御部２３は、鑑別部８で小束紙幣の金種を鑑別および計数し、金庫１０ｄ内に収納されているべき金種の小束紙幣か否かを判別し、金庫１０ｄ内に収納されているべき金種の小束紙幣であると判別すると当該小束紙幣を金庫１０ｃに収納し、金庫１０ｄ内に収納されているべき金種と異なる金種の小束紙幣や金種が鑑別できなかった小束紙幣であると判別すると当該小束紙幣をオーバフロー庫１１へ移動、収納する。
ここで、金庫１０ｄ内の小束紙幣をオーバフロー庫１１へ移動、収納するときに、すなわち金庫１０ｄの自動精査処理中に、オーバフロー庫１１が満杯になった場合の処理を説明する。
【００４０】
ステップ１５：制御部２３は、移動した小束紙幣でオーバフロー庫１１が満杯になったことをセンサ等で検知すると、小束紙幣の計数結果を記憶部２２に記憶して金庫１０ｃに収納した小束紙幣の有り高を確定した後、自動精査処理を中断し、図１５に示すように、精査庫６２内の小束紙幣を小束押込み機構９および小束クランプ移動機構７で不確定状態の金庫１０ｄへ移動、収納する。
精査庫６２内の小束紙幣を金庫１０ｄへ移動した制御部２３は、オーバフロー庫１１に収納した小束紙幣を回収できるようにするため、シャッタ１０ａｂｓおよびシャッタ１０ｃｄｓを閉じて金庫１０（１０ａ、１０ｂ、１０ｃ、１０ｄ）内の小束紙幣に係員等の操作者が触れることができないようにする。
【００４１】
シャッタ１０ａｂｓおよびシャッタ１０ｃｄｓを閉じた後、制御部２３は、オーバフロー庫１１に収納した小束紙幣の回収が必要である旨を上位装置へ通知し、係員等の介入によりオーバフロー庫１１内の小束紙幣が回収されるものとし、回収が完了すると係員等の操作により上位装置から自動精査処理の再開を指示する命令を受信して自動精査処理が再開されるものとする。
なお、制御部２３は、オーバフロー庫１１が満杯になったことをセンサ等で検知したとき、オーバフロー庫１１に収納した小束紙幣の回収を誘導する情報を表示部等に表示して係員に報知するようにしても良い。また、回収された小束紙幣は、開封され入金処理が行われるものとする。
【００４２】
ステップ１６：自動精査処理の再開を指示された制御部２３は、記憶部２２を確認し、有り高が確定している金庫１０ａ、１０ｂ、１０ｃの自動精査処理は行わず、不確定状態の金庫１０ｄの自動精査処理から再開する。
自動精査処理から再開した制御部２３は、まずシャッタ１０ａｂｓおよびシャッタ１０ｃｄｓを解放する。
制御部２３は、小束押込み機構９および小束クランプ移動機構７を自動精査処理の対象となる金庫１０ｄへ移動し、精査対象の金庫１０ｄに収納されている小束紙幣の受取りを待機する。
【００４３】
制御部２３は、金庫１０ｄの小束紙幣を押さえているストッパを解除し、金庫１０ｄのステージを上昇させて収納されている小束紙幣１２ａを小束押込み機構９まで押し上げ、図１６に示すように、小束押込み機構９まで押し上げられた小束紙幣１２ｄの最上位の小束紙幣を小束クランプ移動機構７で取り出し、鑑別部８を通過させて昇降機構６へ移動し、昇降機構６内の精査庫６２で小束紙幣を一時保管する。
このとき、制御部２３は、鑑別部８で小束紙幣の金種を鑑別および計数し、金庫１０ｄ内に収納されているべき金種の小束紙幣か否かを判別し、金庫１０ｄ内に収納されているべき金種の小束紙幣であると判別すると当該小束紙幣を精査庫６２に保管し、金庫１０ｄ内に収納されているべき金種と異なる金種の小束紙幣や金種が鑑別できなかった小束紙幣であると判別すると当該小束紙幣をオーバフロー庫１１へ移動、収納する。
【００４４】
このように、制御部２３は、金庫１０ｄ内に収納された小束紙幣１２ｄの最上位の小束紙幣を精査庫６２またはオーバフロー庫１１へ移動、収納する動作を繰り返して行い、金庫１０ｄ内に収納されたすべての小束紙幣を精査庫６２またはオーバフロー庫１１へ移動、収納するとともに、小束紙幣の計数結果を記憶部２２に記憶する。
ステップ１７：制御部２３は、図１７に示すように、精査庫６２に一時保管されている小束紙幣を空になっている金庫１０ｄへ移動し、ステップ１６において記憶部２２に記憶した計数結果に基づいて金庫１０ｄに収納した小束紙幣の有り高を確定する。
【００４５】
金庫１０ａ、１０ｂ、１０ｃ、１０ｄの有り高が確定されると、オーバフロー庫１１に収納された小束紙幣が存在する場合、係員等の介入によりその小束紙幣が回収され、オーバフロー庫１１が満杯になって回収された小束紙幣と合わせて入金処理が行われ、制御部２３はオーバフロー庫１１から回収された小束紙幣の入金処理を行って小束紙幣の計数を行い、入金処理された小束紙幣の計数結果と確定されている金庫１０ａ、１０ｂ、１０ｃ、１０ｄの有り高とを合算して記憶部２２に装置の有り高として記憶し、施封小束支払機１全体の有り高として確定する。
【００４６】
本実施例では、施封小束支払機１の制御部２３は、自動精査処理を中断した場合、中断するまでに行った確定処理における計数結果を記憶部２２に記憶して金庫１０の有り高として確定しておき、自動精査処理を再開したとき、有り高が不確定の金庫のみに対して確定処理するようにしたことにより、自動精査処理の処理時間を大幅に短縮することができる。
また、小束紙幣の移動回数を削減することができるため、小束紙幣への傷等の損傷を軽減することができる。
【００４７】
以上説明したように、第１の実施例では、自動精査処理を中断した場合、中断するまでに行った計数結果を記憶部に記憶して金庫の有り高として確定しておき、自動精査処理を再開したとき、有り高が不確定の金庫のみを確定処理するようにしたことにより、自動精査処理の処理時間を大幅に短縮することができるという効果が得られる。
また、小束紙幣の移動回数を削減することができ、小束紙幣への傷等の損傷を軽減することができるという効果が得られる。
【実施例２】
【００４８】
第２の実施例の施封小束支払機について説明する。なお、第２の実施例における施封小束支払機の構成は第１の実施例と同様であるため、同一の符号を付してその説明を省略する。
第２の実施例の施封小束支払機の作用について説明する。
施封小束支払機が行う自動精査処理を図１８から図２４の第２の実施例における自動精査処理の説明図に基づいて図１および図２を参照しながら説明する。
【００４９】
施封小束支払機１は、図１８に示すように、オーバフロー庫１１は空、金庫１０ａ、１０ｂ、１０ｃ、１０ｄにはそれぞれ小束紙幣が収納されているものとし、金庫１０ａ、１０ｂ、１０ｃ、１０ｄに収納された小束紙幣の有り高は不確定の初期状態であるものとする。
まず、施封小束支払機１の制御部２３は、シャッタ１０ａｂｓおよびシャッタ１０ｃｄｓを解放する。
ステップ２１：次に、制御部２３は、鑑別部８が設けられた小束押込み機構９および小束クランプ移動機構７を自動精査処理の対象となる金庫１０へ移動し、精査対象の金庫１０に収納されている小束紙幣の受取りを待機する。
【００５０】
例えば、金庫１０ａが自動精査処理の対象となる金庫である場合、制御部２３は、小束押込み機構９および小束クランプ移動機構７を自動精査処理の対象となる金庫１０ａへ移動し、精査対象の金庫１０ａに収納されている小束紙幣の受取りを待機する。
制御部２３は、金庫１０ａの小束紙幣を押さえているストッパを解除し、金庫１０ａのステージを上昇させて収納されている小束紙幣１２ａを小束押込み機構９まで押し上げ、図１９に示すように、小束押込み機構９まで押し上げられた小束紙幣１２ａの最上位の小束紙幣を小束クランプ移動機構７で取り出し、鑑別部８を通過させて昇降機構６へ移動し、昇降機構６内の精査庫６２で小束紙幣を一時保管する。
【００５１】
このとき、制御部２３は、鑑別部８で小束紙幣の金種を鑑別および計数し、金庫１０ａ内に収納されているべき金種の小束紙幣か否かを判別し、金庫１０ａ内に収納されているべき金種の小束紙幣であると判別すると当該小束紙幣を精査庫６２に保管し、金庫１０ａ内に収納されているべき金種と異なる金種の小束紙幣や金種が鑑別できなかった小束紙幣であると判別すると当該小束紙幣をオーバフロー庫１１へ移動、収納する。
このように、制御部２３は、金庫１０ａ内に収納された小束紙幣１２ａの最上位の小束紙幣を精査庫６２またはオーバフロー庫１１へ移動、収納する動作を繰り返して行い、金庫１０ａ内に収納されたすべての小束紙幣を精査庫６２またはオーバフロー庫１１へ移動、収納する。
【００５２】
ステップ２２：続いて、金庫１０ａ内に収納されていた小束紙幣を移動した制御部２３は、小束押込み機構９および小束クランプ移動機構７を自動精査処理の対象となる金庫１０ｂへ移動し、精査対象の金庫１０ｂに収納されている小束紙幣の受取りを待機する。
制御部２３は、金庫１０ｂの小束紙幣を押さえているストッパを解除し、金庫１０ｂのステージを上昇させて収納されている小束紙幣１２ｂを小束押込み機構９まで押し上げ、図２０に示すように、小束押込み機構９まで押し上げられた小束紙幣１２ｂの最上位の小束紙幣を小束クランプ移動機構７で取り出し、鑑別部８を通過させて空になっている金庫１０ａへ移動し、移動先の金庫としての金庫１０ａに小束紙幣を収納する。
【００５３】
このとき、制御部２３は、鑑別部８で小束紙幣の金種を鑑別および計数し、金庫１０ｂ内に収納されているべき金種の小束紙幣か否かを判別し、金庫１０ｂ内に収納されているべき金種の小束紙幣であると判別すると当該小束紙幣を金庫１０ａに収納し、金庫１０ｂ内に収納されているべき金種と異なる金種の小束紙幣や金種が鑑別できなかった小束紙幣であると判別すると当該小束紙幣をオーバフロー庫１１へ移動、収納する。
【００５４】
このように、制御部２３は、金庫１０ｂ内に収納された小束紙幣１２ｂの最上位の小束紙幣を金庫１０ａまたはオーバフロー庫１１へ移動、収納する動作を繰り返して行い、金庫１０ｂ内に収納されたすべての小束紙幣を金庫１０ａまたはオーバフロー庫１１へ移動、収納するとともに、小束紙幣の計数結果を記憶部２２に記憶して金庫１０ａに収納した小束紙幣の有り高を確定する。
【００５５】
ステップ２３：続いて、金庫１０ａに収納した小束紙幣の有り高を確定した制御部２３は、小束押込み機構９および小束クランプ移動機構７を自動精査処理の対象となる金庫１０ｃへ移動し、精査対象の金庫１０ｃに収納されている小束紙幣の受取りを待機する。
制御部２３は、金庫１０ｃの小束紙幣を押さえているストッパを解除し、金庫１０ｃのステージを上昇させて収納されている小束紙幣１２ｃを小束押込み機構９まで押し上げ、図２１に示すように、小束押込み機構９まで押し上げられた小束紙幣１２ｃの最上位の小束紙幣を小束クランプ移動機構７で取り出し、鑑別部８を通過させて空になっている金庫１０ｂへ移動し、移動先の金庫としての金庫１０ｂに小束紙幣を収納する。
【００５６】
このとき、制御部２３は、鑑別部８で小束紙幣の金種を鑑別および計数し、金庫１０ｃ内に収納されているべき金種の小束紙幣か否かを判別し、金庫１０ｃ内に収納されているべき金種の小束紙幣であると判別すると当該小束紙幣を金庫１０ｂに収納し、金庫１０ｃ内に収納されているべき金種と異なる金種の小束紙幣や金種が鑑別できなかった小束紙幣であると判別すると当該小束紙幣をオーバフロー庫１１へ移動、収納する。
【００５７】
このように、制御部２３は、金庫１０ｃ内に収納された小束紙幣１２ｃの最上位の小束紙幣を金庫１０ｂまたはオーバフロー庫１１へ移動、収納する動作を繰り返して行い、金庫１０ｃ内に収納されたすべての小束紙幣を金庫１０ｂまたはオーバフロー庫１１へ移動、収納するとともに、小束紙幣の計数結果を記憶部２２に記憶して金庫１０ｂに収納した小束紙幣の有り高を確定する。
ここで、金庫１０ｃの自動精査処理完了時に、オーバフロー庫１１が満杯になった場合の処理を説明する。
【００５８】
ステップ２２：制御部２３は、移動した小束紙幣でオーバフロー庫１１が満杯になったことをセンサ等で検知すると、自動精査処理を中断し、図２２に示すように、精査庫６２内の小束紙幣を小束押込み機構９および小束クランプ移動機構７で空の金庫１０ｃへ移動、収納するとともに、小束紙幣の計数結果を記憶部２２に記憶して金庫１０ｃに収納した小束紙幣の有り高を確定する。
精査庫６２内の小束紙幣を金庫１０ｃへ移動した制御部２３は、オーバフロー庫１１に収納した小束紙幣を回収できるようにするため、シャッタ１０ａｂｓおよびシャッタ１０ｃｄｓを閉じて金庫１０（１０ａ、１０ｂ、１０ｃ、１０ｄ）内の小束紙幣に触れることができないようにする。
【００５９】
シャッタ１０ａｂｓおよびシャッタ１０ｃｄｓを閉じた後、制御部２３は、オーバフロー庫１１に収納した小束紙幣の回収が必要である旨を上位装置へ通知し、係員等の介入によりオーバフロー庫１１内の小束紙幣が回収されるものとし、回収が完了すると係員等の操作により上位装置から自動精査処理の再開を指示する命令を受信して自動精査処理が再開されるものとする。
なお、制御部２３は、オーバフロー庫１１が満杯になったことをセンサ等で検知したとき、オーバフロー庫１１に収納した小束紙幣の回収を誘導する情報を表示部等に表示して係員に報知するようにしても良い。また、回収された小束紙幣は、開封され入金処理が行われるものとする。
【００６０】
ステップ２５：自動精査処理の再開を指示された制御部２３は、記憶部２２を確認し、有り高が確定している金庫１０ａ、１０ｂ、１０ｃの自動精査処理は行わず、不確定状態の金庫１０ｄの自動精査処理から再開する。
自動精査処理から再開した制御部２３は、まずシャッタ１０ａｂｓおよびシャッタ１０ｃｄｓを解放する。
制御部２３は、小束押込み機構９および小束クランプ移動機構７を自動精査処理の対象となる金庫１０ｄへ移動し、精査対象の金庫１０ｄに収納されている小束紙幣の受取りを待機する。
【００６１】
制御部２３は、金庫１０ｄの小束紙幣を押さえているストッパを解除し、金庫１０ｄのステージを上昇させて収納されている小束紙幣１２ａを小束押込み機構９まで押し上げ、図２３に示すように、小束押込み機構９まで押し上げられた小束紙幣１２ｄの最上位の小束紙幣を小束クランプ移動機構７で取り出し、鑑別部８を通過させて昇降機構６へ移動し、昇降機構６内の精査庫６２で小束紙幣を一時保管する。
このとき、制御部２３は、鑑別部８で小束紙幣の金種を鑑別および計数し、金庫１０ｄ内に収納されているべき金種の小束紙幣か否かを判別し、金庫１０ｄ内に収納されているべき金種の小束紙幣であると判別すると当該小束紙幣を精査庫６２に保管し、金庫１０ｄ内に収納されているべき金種と異なる金種の小束紙幣や金種が鑑別できなかった小束紙幣であると判別すると当該小束紙幣をオーバフロー庫１１へ移動、収納する。
【００６２】
このように、制御部２３は、金庫１０ｄ内に収納された小束紙幣１２ｄの最上位の小束紙幣を精査庫６２またはオーバフロー庫１１へ移動、収納する動作を繰り返して行い、金庫１０ｄ内に収納されたすべての小束紙幣を精査庫６２またはオーバフロー庫１１へ移動、収納するとともに、小束紙幣の計数結果を記憶部２２に記憶する。
ステップ２６：制御部２３は、図２４に示すように、精査庫６２に一時保管されている小束紙幣を空になっている金庫１０ｄへ移動し、ステップ２５において記憶部２２に記憶した計数結果に基づいて金庫１０ｄに収納した小束紙幣の有り高を確定する。
【００６３】
本実施例では、施封小束支払機１の制御部２３は、自動精査処理を中断したときに空の金庫１０が存在する場合、精査庫６２に一時保管しておいた小束紙幣を空の金庫１０に戻すようにしたことにより、有り高が確定した金庫１０が増えるため、自動精査処理を再開したとき、有り高が不確定の金庫が少なくなり、さらに自動精査処理の処理時間を短縮することができる。
【００６４】
以上説明したように、第２の実施例では、第１の実施例の効果に加え、精査庫に一時保管しておいた小束紙幣を空の金庫に戻すようにしたことにより、自動精査処理を再開したとき、有り高が不確定の金庫が少なくなり、さらに自動精査処理の処理時間を短縮することができるという効果が得られる。
なお、第１の実施例および第２の実施例では、紙幣入出金処理装置を、小束紙幣を自動精査処理する施封小束支払機として説明したが、それに限られることなく、現金としてのバラ紙幣を自動精査処理する紙幣入出金機等の現金処理装置としても良い。
【符号の説明】
【００６５】
１    施封小束支払機
２    搬送路
２ａ、２ｂ  集積部
３    紙幣クランプ搬送部
４    施封部
５    出金口
６    昇降機構
７    小束クランプ移動機構
８    鑑別部
９    小束押込み機構
１０（１０ａ、１０ｂ、１０ｃ、１０ｄ）  金庫
１１  オーバフロー庫
１２（１２ａ、１２ｂ、１２ｃ、１２ｄ）  小束紙幣
２１  移動制御部
２２  記憶部
２３  制御部
６１  ステージ
６２  精査庫
【図１】
2015114735.tif 000003
【図２】
2015114735.tif 000004
【図３】
2015114735.tif 000005
【図４】
2015114735.tif 000006
【図５】
2015114735.tif 000007
【図６】
2015114735.tif 000008
【図７】
2015114735.tif 000009
【図８】
2015114735.tif 000010
【図９】
2015114735.tif 000011
【図１０】
2015114735.tif 000012
【図１１】
2015114735.tif 000013
【図１２】
2015114735.tif 000014
【図１３】
2015114735.tif 000015
【図１４】
2015114735.tif 000016
【図１５】
2015114735.tif 000017
【図１６】
2015114735.tif 000018
【図１７】
2015114735.tif 000019
【図１８】
2015114735.tif 000020
【図１９】
2015114735.tif 000021
【図２０】
2015114735.tif 000022
【図２１】
2015114735.tif 000023
【図２２】
2015114735.tif 000024
【図２３】
2015114735.tif 000025
【図２４】
2015114735.tif 000026